(57)【要約】【課題】本発明は、被検体が受ける閉塞感を低減し、十分なシールド性能を維持し、ローレンツ力を低下させ、振動を減少させることを目的とするものである。【解決手段】傾斜磁場コイルは、傾斜磁場コイル装置本体２１の径方向中心側から径方向外側へ向けて、メインＸコイル２４、メインＹコイル２５、メインＺコイル２６、シールドＺコイル２９、シールドＹコイル２８、シールドＸコイル２７の順に配置されている。メインＸコイル２４とシールドＸコイル２７とを接続するＸ接続部３１と、メインＹコイル２５とシールドＹコイル２８とを接続するＹ接続部３２とは、傾斜磁場コイル装置本体２１の軸方向に互いにずらして配置されている。【選択図】図５
2015134017.tif 000002
【特許請求の範囲】
【請求項１】
Ｘ、Ｙ及びＺの３軸方向の傾斜磁場を発生するメインＸコイル、メインＹコイル及びメインＺコイルと、前記メインＸコイル、前記メインＹコイル及び前記メインＺコイルによる漏れ磁場を防ぐシールドＸコイル、シールドＹコイル及びシールドＺコイルとを含む複数の傾斜磁場コイルを有しており、内周の断面が楕円形である筒状の傾斜磁場コイル装置本体を備え、
前記傾斜磁場コイルは、前記傾斜磁場コイル装置本体の径方向中心側から径方向外側へ向けて、前記メインＸコイル、前記メインＹコイル、前記メインＺコイル、前記シールドＺコイル、前記シールドＹコイル、前記シールドＸコイルの順に配置されており、
前記傾斜磁場コイル装置本体の軸方向端部には、前記メインＸコイルと前記シールドＸコイルとを接続する複数のＸ接続部と、前記メインＹコイルと前記シールドＹコイルとを接続する複数のＹ接続部とが設けられており、
前記Ｘ接続部及び前記Ｙ接続部は、前記傾斜磁場コイル装置本体の軸方向に互いにずらして配置されていることを特徴とする傾斜磁場コイル装置。
【請求項２】
少なくとも一部の前記Ｘ接続部と少なくとも一部の前記Ｙ接続部とが前記傾斜磁場コイル装置本体の周方向の同じ位置に配置されていることを特徴とする請求項１記載の傾斜磁場コイル装置。
【請求項３】
前記傾斜磁場コイル装置本体には、複数のシムトレイ収容部が周方向に互いに間隔をおいて配置されており、
前記Ｘ接続部及び前記Ｙ接続部は、互いに隣接する前記シムトレイ収容部間の隙間に配置されていることを特徴とする請求項１又は請求項２に記載の傾斜磁場コイル装置。
【請求項４】
前記傾斜磁場コイル装置本体の軸方向に直角な断面において、前記傾斜磁場コイル装置本体の径方向及び周方向への前記シムトレイ収容部の寸法が、前記傾斜磁場コイル装置本体の周方向の位置によって異なっていることを特徴とする請求項３記載の傾斜磁場コイル装置。
【請求項５】
請求項１から請求項４までのいずれか１項に記載の傾斜磁場コイル装置を備えたことを特徴とする磁気共鳴イメージング装置。
【発明の詳細な説明】
【技術分野】
【０００１】
この発明は、傾斜磁場を発生する複数のメインコイルと、メインコイルによる漏れ磁場を防ぐ複数のシールドコイルとを有する傾斜磁場コイル装置、及びその傾斜磁場コイル装置を用いた磁気共鳴イメージング（Magnetic Resonance Imaging）装置に関するものである。
【背景技術】
【０００２】
磁気共鳴イメージング装置（ＭＲＩ装置）は、磁場中に置かれた被検体の核磁気共鳴現象（ＮＭＲ現象）から得られる信号を計測し、演算処理することにより、被検体中の原子核スピンの密度分布及び緩和時間分布等を断層像として画像表示するものである。このようなＭＲＩ装置は、人体を被検体として、各種の診断等に使用されている。
【０００３】
ＮＭＲ現象から信号を得るためには、空間的及び時間的に一様な静磁場中に被検体を置き、高周波コイルにより被検体に電磁波をパルス状に照射し、それによって発生するＮＭＲ信号を高周波コイルにより受信する。また、ＮＭＲ信号に位置情報を与えるため、静磁場には傾斜磁場が重畳される。このため、ＭＲＩ装置には、互いに直交する３軸方向に傾斜磁場を発生する傾斜磁場コイル装置が設けられている。
【０００４】
傾斜磁場コイル装置は、静磁場を発生する磁石の内側に配置されている。また、傾斜磁場コイル装置は、傾斜磁場を形成する３種類のメインコイルと、漏えい磁場をキャンセルする３種類のシールドコイルとを有している。
【０００５】
一方、近年のＭＲＩ装置では、被検体である患者が受ける閉塞感を緩和するため、ＭＲＩ装置の長さを短くする傾向にある。ＭＲＩ装置の長さには、静磁場を発生する磁石の長さが主に影響するため、磁石のショートボア化が進んでいる。
【０００６】
しかし、静磁場には、磁石開口端部付近（以下Ｚ方向端部）において急変する場所が存在する。このような静磁場の急変部は、磁石のショートボア化に伴い、システムの磁場中心側に移動してくる。このため、静磁場の急変部にシールドコイルのパターンが位置する可能性が生じる。静磁場の急変部にシールドコイルのパターンが位置すると、傾斜磁場コイルに大電流が流れたときに、多大なローレンツ力が発生し、大きな振動が発生する恐れがある。
【０００７】
このような振動が磁石に伝わると、静磁場が揺れてしまい、画像にアーチファクトが発生する可能性が高くなる。また、振動が寝台に伝わると、被検体に不快感を与える恐れもある。
【０００８】
これに対して、シールドコイルをメインコイル側に折り曲げて、メインコイルとシールドコイルとを複数箇所で立体的に接続する技術がある。この技術では、立体的に配置する配線の面積と同等分のシールドコイル面積を減らすことができるので、結果として、静磁場の急変部に配置されるシールドコイルが減り、ローレンツ力が低下することで振動が減少する。
【０００９】
また、被検体が受ける閉塞感を緩和するため、傾斜磁場コイルの開口径を大きくする技術も知られている。この技術では、開口径を大きくすることで傾斜磁場コイルの磁場強度が弱くなるのを防止するために、コイルのターン数を増やしている。しかし、ターン数を増やすことにより、傾斜磁場コイルのインダクタンスが上昇し、高速のパルス電流のスイッチング速度が遅くなり、高速シーケンスに対応できない等の問題が生じる。
【００１０】
このような問題に対応するため、楕円筒状のガントリを用いたＭＲＩ装置が提案されている。このＭＲＩ装置では、ガントリの形状が、従来の円筒状のガントリを上下方向、即ちＹ軸方向に潰した楕円筒状にされている。これにより、傾斜磁場コイル装置中のＹ軸方向の対向する傾斜磁場コイル対が、ガントリの計測空間内に配置される被検体に近接配置されている。
【００１１】
この結果、Ｙ軸方向の傾斜磁場強度が高くなり、ＭＲＩ像の解像度が向上する。また、Ｙ軸方向の傾斜磁場コイルのインダクタンスが低減され、Ｙ軸方向の傾斜磁場コイルに加えられるパルス電流のスイッチング速度を高めて高速シーケンス撮像への適用を容易にすることができる。
【００１２】
さらに、通常の傾斜磁場コイル装置では、シールドコイルが、径方向中心側から、シールドＺコイル、シールドＸコイル、シールドＹコイルの順番で配置されるが、シールドＸコイルとシールドＹコイルの位置を入れ替えることで、被検体から遠いＸコイルの傾斜磁場発生効率を確保することが可能となっている（例えば、特許文献１参照）。
【先行技術文献】
【特許文献】
【００１３】
【特許文献１】特開２００７−２９６１９５号公報
【発明の概要】
【発明が解決しようとする課題】
【００１４】
上記のように、シールドコイルとメインコイルとを立体的に接続する技術では、シールドコイルのＺ軸方向長さを短くすることができる。しかしながら、開口部が円形状の傾斜磁場コイル装置では、径方向のコイルの配置順の関係で、シールドコイルとメインコイルとを接続する位置に制限が生じてしまう。
【００１５】
即ち、開口部が円形状の傾斜磁場コイル装置では、径方向中心側から、メインＸコイル、メインＹコイル、メインＺコイル、シールドＺコイル、シールドＸコイル、シールドＹコイルの順で配置される場合が多い。このような場合、メインＸコイルとシールドＸコイルとを接続するＸ接続部と、メインＹコイルとシールドＹコイルとを接続するＹ接続部とを周方向の同じ位置に配置しようとすると、これらが互いに干渉してしまう。
【００１６】
このため、傾斜磁場コイル装置の周方向におけるＸ配線部及びＹ配線部の位置が制限され、シールドコイルの長さを短くする効果も少なくなり、ローレンツ力の低下も限定的になる。
【００１７】
この発明は、上記のような課題を解決するためになされたものであり、被検体が受ける閉塞感を低減することができ、また、十分なシールド性能を維持することができ、さらに、ローレンツ力を低下させ、振動を減少させることができる傾斜磁場コイル装置及びそれを用いた磁気共鳴イメージング装置を得ることを目的とする。
【課題を解決するための手段】
【００１８】
この発明に係る傾斜磁場コイル装置は、Ｘ、Ｙ及びＺの３軸方向の傾斜磁場を発生するメインＸコイル、メインＹコイル及びメインＺコイルと、メインＸコイル、メインＹコイル及びメインＺコイルによる漏れ磁場を防ぐシールドＸコイル、シールドＹコイル及びシールドＺコイルとを含む複数の傾斜磁場コイルを有しており、内周の断面が楕円形である筒状の傾斜磁場コイル装置本体を備え、傾斜磁場コイルは、傾斜磁場コイル装置本体の径方向中心側から径方向外側へ向けて、メインＸコイル、メインＹコイル、メインＺコイル、シールドＺコイル、シールドＹコイル、シールドＸコイルの順に配置されており、傾斜磁場コイル装置本体の軸方向端部には、メインＸコイルとシールドＸコイルとを接続する複数のＸ接続部と、メインＹコイルとシールドＹコイルとを接続する複数のＹ接続部とが設けられており、Ｘ接続部及びＹ接続部は、傾斜磁場コイル装置本体の軸方向に互いにずらして配置されている。
【発明の効果】
【００１９】
この発明の傾斜磁場コイル装置によれば、被検体が受ける閉塞感を低減することができ、また、十分なシールド性能を維持することができ、さらに、ローレンツ力を低下させ、振動を減少させることができる。
【図面の簡単な説明】
【００２０】
【図１】この発明の実施の形態１による磁気共鳴イメージング装置を一部ブロックで示す構成図である。
【図２】図１の傾斜磁場コイル装置を示す正面図である。
【図３】図２のＩＩＩ部を拡大して示す正面図である。
【図４】図３のメインＸコイル及びシールドＸコイルのパターンを平面に展開して示す説明図である。
【図５】図２の傾斜磁場コイル装置本体の軸方向端部の縦断面図である。
【図６】図２の傾斜磁場コイル装置本体の軸方向に直角な断面を示す断面図である。
【図７】この発明の実施の形態２による傾斜磁場コイル装置本体の軸方向端部の縦断面図である。
【図８】この発明の実施の形態３による傾斜磁場コイル装置本体の軸方向に直角な断面を示す断面図である。
【発明を実施するための形態】
【００２１】
以下、この発明を実施するための形態について、図面を参照して説明する。
実施の形態１．
図１はこの発明の実施の形態１による磁気共鳴イメージング装置を一部ブロックで示す構成図である。静磁場発生磁石１は、均一な静磁場空間を発生することにより、磁場の均一領域２を形成する。
【００２２】
傾斜磁場コイル装置３は、被検体の位置情報を与えるために、互いに直交する３軸方向に磁場強度が線形に変化する傾斜磁場を発生する。傾斜磁場コイル装置３は、静磁場発生磁石１よりも均一領域２側に配置されている。
【００２３】
傾斜磁場コイル装置３は、傾斜磁場電源部４に接続されている。傾斜磁場電源部４は、Ｘ傾斜磁場電源５、Ｙ傾斜磁場電源６及びＺ傾斜磁場電源７を有している。これら傾斜磁場コイル装置３及び傾斜磁場電源部４により、傾斜磁場発生手段が構成されている。
【００２４】
傾斜磁場コイル装置３よりも均一領域２側には、プロトンの共鳴周波数を持つ電磁波を送信するＲＦ（高周波）コイル８、及び検査部位のＮＭＲ信号を受信する受信コイル９が配置されている。
【００２５】
ＲＦコイル８には、高周波電力を供給する高周波送信器１０が接続されている。受信コイル９には、受信した信号を増幅する高周波受信器１１が接続されている。これら高周波送信器１０及び高周波受信器１１により、高周波送受信系が構成されている。
【００２６】
傾斜磁場電源部４、高周波送信器１０及び高周波受信器１１は、これらの動作を制御するためのＰＣ（パーソナルコンピュータ）１２に接続されている。ＰＣ１２は、高周波受信器１１によって増幅されたＮＭＲ信号に演算処理を施し、画像を構成する機能を有している。
【００２７】
ＰＣ１２には、モニタ１３が接続されている。ＰＣ１２は、演算処理により得られた画像、及び設定画面をモニタ１３に表示させる。設定画面は、操作者が計測の条件を設定したりパルスシーケンスの選択を行ったりするための画面である。
【００２８】
図２は図１の傾斜磁場コイル装置３を示す正面図、図３は図２のＩＩＩ部を拡大して示す正面図である。傾斜磁場コイル装置３は、筒状の傾斜磁場コイル装置本体２１を有している。傾斜磁場コイル装置本体２１の内周の断面（傾斜磁場コイル装置本体２１の軸方向に直角な断面）は、短軸が鉛直で長軸が水平な楕円形である。また、傾斜磁場コイル装置本体２１の外周の断面は、円形である。
【００２９】
傾斜磁場コイル装置本体２１の壁部内には、Ｘ、Ｙ及びＺの３軸方向の傾斜磁場を発生する傾斜磁場コイルである複数のメインＸコイル２４、複数のメインＹコイル２５及びメインＺコイル２５が配置されている。
【００３０】
図２では、これらのメインコイル２４〜２６をまとめて示している。また、これらのメインコイル２４〜２６は、全体として楕円筒形をなすように配置されている。
【００３１】
傾斜磁場コイル装置本体２１の壁部内のメインコイル２４〜２６よりも径方向外側には、メインコイル２４〜２６による漏れ磁場を防ぐ傾斜磁場コイルである複数のシールドＸコイル２７、複数のシールドＹコイル２８及びシールドＺコイル２９が配置されている。
【００３２】
図２では、これらのシールドコイル２７〜２９をまとめて示している。また、シールドコイル２７〜２９は、全体して、メインコイル２４〜２６を囲繞する円筒形をなすように配置されている。
【００３３】
傾斜磁場コイル装置本体２１は、これらの傾斜磁場コイル２４〜２９を樹脂等のモールド材２２によってモールドして構成されている。
【００３４】
傾斜磁場コイル２４〜２９は、傾斜磁場コイル装置本体２１の径方向中心側から径方向外側へ向けて、メインＸコイル２４、メインＹコイル２５、メインＺコイル２６、シールドＺコイル２９、シールドＹコイル２８、シールドＸコイル２７の順に配置されている。
【００３５】
傾斜磁場コイル装置本体２１の内周の断面形状を、上下方向寸法が左右方向寸法よりも短い楕円形とする場合、メインＸコイル２４が磁場中心から遠く、メインＹコイル２５が磁場中心に近くなるが、上記のような順番に配置することで、メインＸコイル２４の傾斜磁場効率を高めることができる。
【００３６】
図４は図３のメインＸコイル２４及びシールドＸコイル２７のパターンを平面に展開して示す説明図であり、簡単のためターン数は実際よりも少なく描いている。図４では、メインＸコイル２４とシールドＸコイル２７とが傾斜磁場コイル装置本体２１の軸方向（図４の左右方向）にずらされているが、実際にはメインＸコイル２４の径方向外側にシールドＸコイル２７が配置されている。
【００３７】
また、図４では、傾斜磁場コイル装置本体２１の軸方向の中心Ｃの両側にメインＸコイル２４及びシールドＸコイル２７が１組ずつ配置されているが、実際には、あと２組のメインＸコイル２４及びシールドＸコイル２７が傾斜磁場コイル装置本体２１の周方向に間隔をおいて配置されている。即ち、傾斜磁場コイル装置本体２１には、４組のメインＸコイル２４及びシールドＸコイル２７が配置されている。
【００３８】
メインＸコイル２４とそれに対応するシールドＸコイル２７とは、図４に点線で示した複数のＸ接続部３１により互いに電気的に接続されている。Ｘ接続部３１は、メインＸコイル２４及びシールドＸコイル２７の複数のターン間に設けられている。これにより、メインＸコイル２４の一部のターンとシールドＸコイル２７の一部のターンとの間では、電流がメインＸコイル２４とシールドＸコイル２７とを交互に流れるようになっている。
【００３９】
メインＹコイル２５及びシールドＹコイル２８の構成及び個数は、メインＸコイル２４及びシールドＸコイル２７と同様である。メインＹコイル２５及びシールドＹコイル２８は、メインＸコイル２４及びシールドＸコイル２７に対して傾斜磁場コイル装置本体２１の周方向に９０°ずらして配置されている。
【００４０】
また、メインＹコイル２５とそれに対応するシールドＹコイル２８とは、Ｘ接続部３１と同様の複数のＹ接続部３２（図５）により互いに電気的に接続されている。
【００４１】
メインＺコイル２６及びシールドＺコイル２９は、傾斜磁場コイル装置本体２１の軸線を中心としたソレノイドコイル状に配置されている。また、メインＺコイル２６とシールドＺコイル２９とは、Ｚ接続部３３（図５）により互いに電気的に接続されている。なお、図２及び図３では、Ｘ接続部３１、Ｙ接続部３２及びＺ接続部３３の図示を省略した。
【００４２】
図５は図２の傾斜磁場コイル装置本体２１の軸方向端部の縦断面図であり、図５の左右方向が傾斜磁場コイル装置本体２１の軸方向（図２のＺ軸方向）である。また、図５の左側が磁場中心側である。
【００４３】
Ｘ接続部３１、Ｙ接続部３２及びＺ接続部３３は、傾斜磁場コイル装置本体２１の軸方向端部に配置されている。また、傾斜磁場コイル装置本体２１の軸方向への傾斜磁場コイル２４〜２９の長さは、互いに異なっており、短い方からＺ、Ｙ、Ｘの順となっている。
【００４４】
そして、接続部３１〜３３は、磁場中心側から、Ｚ、Ｙ、Ｘの順で配置されている。即ち、Ｘ接続部３１、Ｙ接続部３２及びＺ接続部３３は、傾斜磁場コイル装置本体２１の軸方向に互いにずらして配置されている。さらに、Ｘ接続部３１、Ｙ接続部３２及びＺ接続部３３は、それぞれ立体配線として、傾斜磁場コイル装置本体２１の径方向に平行に配置されている。
【００４５】
Ｘ接続部３１は、メインＸコイル２４とシールドＸコイル２７とにそれぞれねじ止めされ、かつ半田付けされている。Ｙ接続部３２は、メインＹコイル２５とシールドＹコイル２８とにそれぞれねじ止めされ、かつ半田付けされている。Ｚ接続部３３は、メインＺコイル２６とシールドＺコイル２９とにそれぞれねじ止めされ、かつ半田付けされている。
【００４６】
傾斜磁場コイル装置本体２１は、Ｘ接続部３１、Ｙ接続部３２及びＺ接続部３３の接続後に、Ｘ接続部３１、Ｙ接続部３２及びＺ接続部３３を含めてモールドされている。これにより、Ｘ接続部３１、Ｙ接続部３２及びＺ接続部３３は、モールド材２２内に埋設されている。
【００４７】
図６は図２の傾斜磁場コイル装置本体２１の軸方向に直角な断面（横断面）を示す断面図である。傾斜磁場コイル装置本体２１の径方向におけるメインコイル２４〜２６の配置領域とシールドコイル２７〜２９の配置領域との間には、複数のシムトレイ収容部（シムトレイ鞘）２３（図２、３では図示を省略した）が設けられている。
【００４８】
シムトレイ収容部２３は、傾斜磁場コイル装置本体２１の周方向に互いに間隔をおいて配置されている。各シムトレイ収容部２３には、静磁場を均一にするための鉄部材を保持するシムトレイが挿入されている。
【００４９】
シムトレイ収容部２３は、静磁場の補正を行う際にシムトレイの出し入れが可能となっている必要がある。このため、Ｘ接続部３１、Ｙ接続部３２及びＺ接続部３３は、傾斜磁場コイル装置本体２１の周方向のシムトレイ収容部２３を避けた位置に配置される。
【００５０】
即ち、傾斜磁場コイル装置本体２１は、その周方向に互いに間隔をおいて複数の立体配線可能領域３４を有している。そして、これらの中から適宜選択された立体配線可能領域３４に、Ｘ接続部３１、Ｙ接続部３２及びＺ接続部３３を配置することができる。
【００５１】
このような傾斜磁場コイル装置３及びそれを用いた磁気共鳴イメージング装置では、傾斜磁場コイル２４〜２６が、傾斜磁場コイル装置本体２１の径方向中心側から径方向外側へ向けて、メインＸコイル２４、メインＹコイル２５、メインＺコイル２６、シールドＺコイル２９、シールドＹコイル２８、シールドＸコイル２７の順に配置されており、Ｘ接続部３１及びＹ接続部３２が傾斜磁場コイル装置本体２１の軸方向に互いにずらして配置されているので、Ｘ接続部３１及びＹ接続部３２を傾斜磁場コイル装置本体２１の周方向の同じ位置に、互いに干渉することなく配置することができる。
【００５２】
このため、十分なシールド性能を維持しつつ、静磁場の急変部に配置されるシールドコイル２７〜２９を減らすことができ、ローレンツ力を低下させて振動を減少させることができる。
【００５３】
また、全ての立体配線可能領域３４にＸ接続部３１及びＹ接続部３２を配置することができ、立体配線の設計の自由度が向上する。これにより、メインＸコイル２４とシールドＸコイル２７との間、及びメインＹコイル２５とシールドＹコイル２８との間を、より多くのターン間で接続することができ、静磁場の急変部に配置されるシールドコイル２７〜２９をさらに少なくすることができる。
【００５４】
また、傾斜磁場コイル装置本体２１の内周の断面が楕円形であるため、被検体が受ける閉塞感を低減することができる。
【００５５】
実施の形態２．
次に、図７はこの発明の実施の形態２による傾斜磁場コイル装置本体２１の軸方向端部の縦断面図である。この例では、傾斜磁場コイル装置本体２１の軸方向（図７の左右方向）へのシールドコイル２７〜２９の長さが互いに同じであり、かつメインＺコイル２６よりも短くなっている。また、Ｘ接続部３１、Ｙ接続部３２及びＺ接続部３３は、傾斜磁場コイル装置本体２１の径方向に対して傾斜して配置されている。
【００５６】
より詳細には、Ｘ接続部３１、Ｙ接続部３２及びＺ接続部３３は、傾斜磁場コイル装置本体２１の径方向外側へ行くほど、傾斜磁場コイル装置本体２１の軸方向の磁場中心側へ向かうように傾斜している。
【００５７】
これにより、傾斜磁場コイル装置本体２１の軸方向端部には、追加機器設置領域（隙間）３５が確保されている。追加機器設置領域３５には、例えば、冷媒が通される冷却管、又は傾斜磁場コイル装置本体２１の変形を防止する補強部材等を配置することができる。
【００５８】
なお、メインコイル２４〜２６に対するシールド性能は、シールドコイル２７〜２９及び接続部３１〜３３により確保されている。他の構成及び磁気共鳴イメージング装置全体の構成は、実施の形態１と同様である。
【００５９】
このような構成によれば、実施の形態１と同様の効果に加えて、冷却管又は補強部材等の追加機器を傾斜磁場コイル装置本体２１内に設置することができ、傾斜磁場コイル装置全体としての性能を向上させることができる。
【００６０】
実施の形態３．
次に、図８はこの発明の実施の形態３による傾斜磁場コイル装置本体２１の軸方向に直角な断面（横断面）を示す断面図である。この例では、傾斜磁場コイル装置本体２１の周方向の位置によってシムトレイ収容部２３の形状が異なっている。
【００６１】
即ち、傾斜磁場コイル装置本体２１の横断面の短軸方向に配置されたシムトレイ収容部２３では、従来の面積を保ったまま、傾斜磁場コイル装置本体２１の径方向への寸法が周方向への寸法よりも大きくなっている。そして、長軸方向に配置されたシムトレイ収容部２３ほど、径方向への寸法が小さく、周方向への寸法が大きくなっている。
【００６２】
これにより、互いに隣接するシムトレイ収容部２３間の隙間、即ち立体配線可能領域３４は、短軸方向で広く、長軸方向では従来と同じとなる。他の構成及び磁気共鳴イメージング装置全体の構成は、実施の形態１と同様である。
【００６３】
このような構成では、Ｘ接続部３１及びＹ接続部３２の数を短軸方向で多くすることができ、シールド性能を高めることができる。これにより、シールドコイルの長さをさらに短くすることができ、例えば図７に示した追加機器設置領域３５を増やすこともできる。
【００６４】
なお、メインＺコイル２６とシールドＺコイル２９とは必ずしも接続しなくてもよい。また、接続する場合、Ｚ接続部３３の数は１つでもよい。
また、全てのＸ接続部３１と全てのＹ接続部３２とが傾斜磁場コイル装置本体２１の周方向の同じ位置に配置されている必要はなく、少なくとも一部のＸ接続部３１と少なくとも一部のＹ接続部３２とが同じ立体配線可能領域３４に配置されていればよい。
さらに、Ｚ接続部３３は、必ずしもＸ接続部３１及びＹ接続部３２と同じ立体配線可能領域３４に配置しなくてもよい。
【符号の説明】
【００６５】
３  傾斜磁場コイル装置、２１  傾斜磁場コイル装置本体、２３  シムトレイ収容部、２４  メインＸコイル、２５  メインＹコイル、２６  メインＺコイル、２７  シールドＸコイル、２８  シールドＹコイル、２９  シールドＺコイル、３１  Ｘ接続部、３２  Ｙ接続部。
【図１】
2015134017.tif 000003
【図２】
2015134017.tif 000004
【図３】
2015134017.tif 000005
【図４】
2015134017.tif 000006
【図５】
2015134017.tif 000007
【図６】
2015134017.tif 000008
【図７】
2015134017.tif 000009
【図８】
2015134017.tif 000010